(57)【要約】【課題】隣り合う側面の間に隙間を生じにくくすること。【解決手段】実施形態に係る照明装置は、発光部と、本体部と、電源ボックスとを具備する。発光部は、複数の発光素子を含む。本体部は、前面側に発光部が設けられる。電源ボックスは、本体部の背面側に設けられる。また、電源ボックスは、矩形状の背面と、背面の各辺からそれぞれ延伸する側面とが１枚の金属板で形成されており、隣り合う側面のうち一方の端面が他方の板面で覆われる。【選択図】図１
2018055769.tif 000002
【特許請求の範囲】
【請求項１】
複数の発光素子を含む発光部と；
前面側に前記発光部が設けられる本体部と；
前記本体部の背面側に設けられる電源ボックスと；
を具備し、
前記電源ボックスは、
矩形状の背面と、前記背面の各辺からそれぞれ延伸する側面とが１枚の金属板で形成されており、隣り合う前記側面のうち一方の端面が他方の板面で覆われることを特徴とする照明装置。
【請求項２】
前記電源ボックスは、
対向する前記側面の前記端面が他の対向する前記側面の前記板面でそれぞれ覆われることを特徴とする請求項１に記載の照明装置。
【請求項３】
前記電源ボックスは、
前記側面の先端側を外側へ折り曲げた形状の脚部を有しており、前記脚部が前記本体部の背面側に固定されることを特徴とする請求項１または２に記載の照明装置。
【請求項４】
前記電源ボックスは、
前記脚部が前記側面の先端側全面にわたって形成されることを特徴とする請求項３に記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の発光素子を用いた照明装置が知られている。かかる照明装置は、複数の発光素子に電力を供給する電源装置を収容する電源ボックスを有する。また、電源ボックスは、矩形状の背面と、背面の各辺からそれぞれ延伸する４つの側面とが１枚の金属板で形成される。
【先行技術文献】
【特許文献】
【０００３】
【特許文献１】特開２０１３−０８４６１０号公報
【発明の概要】
【発明が解決しようとする課題】
【０００４】
しかしながら、従来の電源ボックスでは、隣り合う側面の間に隙間が生じやすく、虫等が内部に侵入するおそれがあった。
【０００５】
本発明が解決しようとする課題は、隣り合う側面の間に隙間を生じにくくすることができる照明装置を提供することを目的とする。
【課題を解決するための手段】
【０００６】
実施形態に係る照明装置は、発光部と、本体部と、電源ボックスとを具備する。発光部は、複数の発光素子を含む。本体部は、前面側に前記発光部が設けられる。電源ボックスは、前記本体部の背面側に設けられる。また、電源ボックスは、矩形状の背面と、前記背面の各辺からそれぞれ延伸する側面とが１枚の金属板で形成されており、隣り合う前記側面のうち一方の端面が他方の板面で覆われる。
【図面の簡単な説明】
【０００７】
【図１】図１は、実施形態に係る照明装置の斜視図である。
【図２】図２は、実施形態に係る電源ボックスの斜視図である。
【図３】図３は、実施形態に係る電源ボックスの端面図である。
【図４】図４は、実施形態に係る電源ボックスの展開図である。
【図５】図５は、実施形態に係る電源ボックスの変形例（その１）を示す展開図である。
【図６】図６は、実施形態に係る電源ボックスの変形例（その２）を示す展開図である。
【発明を実施するための形態】
【０００８】
以下で説明する実施形態に係る照明装置１は、発光部６０と、本体部４０と、電源ボックス２０とを具備する。発光部６０は、複数の発光素子６１を含む。本体部４０は、前面側に発光部６０が設けられる。電源ボックス２０は、本体部４０の背面側に設けられる。また、電源ボックス２０は、矩形状の背面２１と、背面２１の各辺からそれぞれ延伸する側面２２，２２１，２２２，２２１ａ，２２１ｂ，２２２ａ，２２２ｂとが１枚の金属板で形成されており、隣り合う側面２２，２２１，２２２，２２１ａ，２２１ｂ，２２２ａ，２２２ｂのうち一方の端面２２２ｔが他方の板面２２１ｓで覆われる。
【０００９】
以下で説明する実施形態に係る電源ボックス２０は、対向する側面２２，２２１，２２２，２２１ａ，２２１ｂ，２２２ａ，２２２ｂの端面２２２ｔが他の対向する側面２２，２２１，２２２，２２１ａ，２２１ｂ，２２２ａ，２２２ｂの板面２２１ｓでそれぞれ覆われる。
【００１０】
以下で説明する実施形態に係る電源ボックス２０は、側面２２，２２１，２２２，２２１ａ，２２１ｂ，２２２ａ，２２２ｂの先端側を外側へ折り曲げた形状の脚部２３を有しており、脚部２３が本体部４０の背面側（Ｚ軸正方向側）に固定される。
【００１１】
以下で説明する実施形態に係る電源ボックス２０は、脚部２３が側面２２，２２１，２２２，２２１ａ，２２１ｂ，２２２ａ，２２２ｂの先端側全面にわたって形成される。
【００１２】
以下、図面を参照して、実施形態に係る照明装置について説明する。実施形態において同一の部位には同一の符号を付し、重複する説明は省略される。
【００１３】
（実施形態）
まず、図１を用いて、実施形態に係る照明装置１の構成例について説明する。図１は、実施形態に係る照明装置１の斜視図である。図１では、照明装置１を斜め下方向から見た例を示す。
【００１４】
図１に示した照明装置１は、いわゆるダウンライトであり、例えば体育館等の建物内の高天井に吊り下げて設置され、広い照明空間を照明するために用いられる。
【００１５】
なお、図１では、説明を分かりやすくするために、鉛直方向上向きを正方向とするＺ軸を含む３次元の直交座標系を図示している。かかる直交座標系は、以下の説明で用いる他の図面においても示す場合がある。
【００１６】
図１に示すように、照明装置１は、支持部１０と、電源ボックス２０と、端子台カバー３０と、本体部４０と、放熱部５０と、発光部６０と、透光性カバー７０とを具備する。
【００１７】
支持部１０は、本体部４０の対向する側面を挟み込むことで、照明装置１を揺動可能に吊り下げて支持する。また、支持部１０は、本体部４０の側面側に例えば半弧状の調整孔を有している。かかる調整孔を介して例えばボルト等の締結部材によって本体部４０へ固定することで、本体部４０の取付角度を調整することができる。
【００１８】
また、支持部１０は、上面に取付孔を有しており、かかる取付孔を介して例えばボルト等の締結部材によって天井へ固定される。なお、図１に示す支持部１０の形状は、一例であり、天井に取り付け可能であれば形状は問わない。
【００１９】
電源ボックス２０は、発光部６０を制御する図示しない制御基板を収容する。また、図１に示すように、電源ボックス２０は、例えば直方体状の筐体であり、本体部４０の背面側（Ｚ軸正方向側）に設けられる。ここで、実施形態に係る電源ボックス２０は、隙間を生じにくくすることで、虫等の侵入を防止しているが、かかる点については図２以降を用いて後述する。
【００２０】
端子台カバー３０は、端子台３１を内蔵する筐体である。また、端子台カバー３０は、側面に配線孔を有し、配線孔を通じて外部から電源配線３５が端子台３１へ接続される。たとえば、端子台カバー３０は、照明装置１の取り付け後に、施行者によって取り付けられる。なお、端子台カバー３０を省略することとしてもよい。
【００２１】
端子台３１は、外部配線３５のうち電源線３５ａが接続される電源端子台３１ａと、信号線３５ｂが接続される信号端子台３１ｂとを具備する。なお、図１では、端子台３１が２つである場合について説明したが、端子台３１の数は、１つであっても３つ以上であってもよい。
【００２２】
本体部４０は、略直方体状であり、前面側（Ｚ軸負方向側）に発光部６０が設けられ、背面側（Ｚ軸正方向側）に電源ボックス２０が設けられる。
【００２３】
放熱部５０は、発光部６０の背面側に設けられ、複数の放熱フィン５１が間隔をあけて配列される。放熱部５０は、発光部６０の発光素子６１が発光することにより発生する熱を外部へ放出する。これにより、放熱部５０は、照明装置１の温度上昇を抑えることができる。
【００２４】
発光部６０は、前面側の発光面上に複数の発光素子６１が配列される。発光素子６１は、例えばＬＥＤ（Light  Emitting  Diode）チップである。発光素子６１は、電源ボックス２０に内蔵された制御基板からの制御信号に応じて発光する。
【００２５】
透光性カバー７０は、発光部６０の発光面を覆うように発光部６０の前面側に設けられる。透光性カバー７０は、例えば、ガラスや樹脂であり、発光素子６１が発光した光を透過させる。また、透光性カバー７０には、複数の固定孔が設けられ、かかる固定孔に例えばネジ等の固定部材を通すことで、発光部６０を背面側へ押圧するように本体部４０へ固定する。
【００２６】
ここで、上記した電源ボックス２０は、矩形状の背面と、背面の各辺からそれぞれ延伸する側面とが１枚の金属板で形成されるが、近年、軽量化のために金属板の板厚を薄くすることが一般的に行われている。
【００２７】
ところが、金属板を薄くすると、金属板自体の剛性が弱くなってしまい、隣り合う側面を突き合わせ形状にしてしまうと、隣り合う側面の間に隙間が生じやすくなる。このため、生じた隙間から虫や埃等が侵入しやすくなり、内蔵される制御基板の回路を痛めるおそれがある。
【００２８】
そこで、実施形態に係る電源ボックス２０では、金属板の形状を、側面間の隙間を生じにくくする形状とした。以下、実施形態に係る電源ボックス２０について詳細に説明する。
【００２９】
図２は、実施形態に係る電源ボックス２０の斜視図である。図２には、電源ボックス２０を斜め上方向から見た図を模式的に示している。
【００３０】
図２に示すように、電源ボックス２０は、例えば略直方体状の筐体であり、矩形状の背面２１と、背面２１の各辺からそれぞれ延伸する側面２２とで形成される。電源ボックス２０は、例えばアルミやスチール等の１枚の金属板で形成されるが、かかる点については、図４を用いて後述する。
【００３１】
背面２１は、例えば図１に示した支持部１０側を長辺とする略長方形である。なお、背面２１は、支持部１０側を長辺とする略長方形に限定されず、支持部１０側を短辺とする略長方形であってもよい。また、背面２１の形状は、長方形に限定されず、正方形であってもよい。
【００３２】
また、図２に示すように、側面２２には、背面２１の長辺から延伸する側面２２１と、背面２１の短辺から延伸する側面２２２とが含まれる。また、側面２２１は、先端側を外側へ折り曲げた形状の脚部２３を有する。具体的には、脚部２３は、２組の対向する側面２２１，２２２のうち、図１に示した支持部１０側の対向する側面２２１の先端側に設けられる。
【００３３】
また、図２に示すように、脚部２３は、側面２２１の先端側全面にわたって形成される。なお、脚部２３は、側面２２１の先端側全面にわたって形成される場合に限定されず、側面２２１の先端側のうち、例えば固定部材２６の周囲等、部分的に形成されてもよい。
【００３４】
また、脚部２３は、側面２２２を外側から押さえる側面２２１側に設けられることが好ましいが、これに限定されるものではなく、側面２２１に押さえられる側面２２２側に設けられることとしてもよく、あるいは、すべての側面２２１，２２２に設けられることとしてもよい。
【００３５】
また、図２に示すように、脚部２３は、本体部４０の背面側に固定される。例えば、脚部２３は、固定孔が設けられ、ネジ等の固定部材２６をかかる固定孔に通すことで本体部４０の背面側へ固定される。これにより、衝撃等で側面２２１が開放することを防止できる。
【００３６】
なお、電源ボックス２０と本体部４０との固定は、ネジ等の固定部材２６に限定されず、例えば、接着材を脚部２３の裏面に塗布することで本体部４０へ固定してもよい。
【００３７】
図２に示すように、電源ボックス２０は、隣り合う側面２２１，２２２のうち一方の端面を他方の板面で覆うことで、側面２２１，２２２の間の隙間を生じにくくしている。かかる点について、図３を用いてさらに詳細に説明する。
【００３８】
図３は、実施形態に係る電源ボックス２０の端面図である。図３では、図２におけるＡＡ線での端面図を模式的に示す。なお、図３では、電源ボックス２０に内蔵される制御基板等については、説明を簡略化するため図示を省略している。
【００３９】
図３に示すように、電源ボックス２０は、対向する側面２２２の端面２２２ｔが他の対向する側面２２１の板面２２１ｓでそれぞれ覆われる。具体的には、電源ボックス２０は、側面２２１の内側の板面２２１ｓの端部と、側面２２２の端面２２２ｔ全面とが接している。つまり、電源ボックス２０は、対向する側面２２１が他の対向する側面２２２を挟みこむ形状を有している。
【００４０】
このような挟み込み形状とすることで、側面同士を突き合わせる場合に比べ、側面２２１，２２２間の隙間を生じにくくすることができる。また、かかる形状とすることで、電源ボックス２０の剛性が高くなるため、側面２２１，２２２が変形しにくくなる。したがって、側面２２１，２２２間の隙間が広がることを防止することができる。
【００４１】
なお、電源ボックス２０は、４つの端面２２２ｔが板面２２１ｓに覆われる場合に限定されず、４つの端面２２２ｔのうち、少なくとも１つの端面２２２ｔが板面２２１ｓに覆われることとしてもよい。
【００４２】
なお、図３に示す例では、電源ボックス２０は、端面２２２ｔと板面２２１ｓとが接することとしたが、厳密に接していなくともよい。つまり、端面２２２ｔと板面２２１ｓとの間は虫や埃等が侵入しない程度に空いてもよい。
【００４３】
次に、図４を用いて、実施形態に係る電源ボックス２０の展開図について説明する。図４は、実施形態に係る電源ボックス２０の展開図である。図４では、山折りを等間隔の破線で示し、谷折りを一点破線で示す。なお、図４は、図２等に示したＺ軸の正方向からみた図に相当する。
【００４４】
図４に示すように、電源ボックス２０は、背面２１と、背面２１の各辺からそれぞれ延伸する４つの側面２２１，２２２とが、例えばアルミやスチール等の１枚の金属板で形成される。かかる金属板の厚みは、例えば１．２ｍｍ〜２．５ｍｍの範囲内であることが好ましい。
【００４５】
また、背面２１の長辺から延伸する２つの側面２２１の先端側には、脚部２３が形成される。脚部２３には、例えば丸孔形状の固定孔２５が設けられる。これにより、例えばネジ等の固定部材２６を固定孔２５に通して本体部４０へ固定することで、側面２２１が外側へ開放されることを防止できる。
【００４６】
なお、固定孔２５の形状は、丸孔形状に限定されず、例えば長孔形状としてもよい。かかる点については、図５を用いて後述する。
【００４７】
なお、脚部２３は、背面２１、側面２２と合わせて１枚の金属板で形成されることとしたが、これに限定されるものではなく、例えば、脚部２３は、かかる金属板とは別部材で形成してもよい。
【００４８】
また、図４に示すように、側面２２１は、隣り合う側面２２２方向へ所定の幅Ｗで突出する突出部２４を有する。また、突出部２４の領域のうち、領域２４ａ（斜線の領域）は、側面２２２の端面２２２ｔを覆う領域である。
【００４９】
つまり、突出部２４は、４つの領域２４ａそれぞれが、側面２２２の４つの端面２２２ｔそれぞれを覆う。これにより、側面２２１，２２２の間に隙間を生じにくくすることができる。
【００５０】
また、電源ボックス２０を組み立てる場合、２つの側面２２２を垂直に折り曲げた状態で、領域２４ａが側面２２２の端面２２２ｔを覆うようにして２つの側面２２１を折り曲げる。その後、脚部２３を折り曲げることで電源ボックス２０が完成する。
【００５１】
なお、電源ボックス２０を組み立てる場合、側面２２１，２２２を折り曲げた後、脚部２３を折り曲げることとしたが、側面２２１，２２２を折り曲げる前に、脚部２３を折り曲げることとしてもよい。
【００５２】
なお、突出部２４の幅Ｗは、側面２２２の端面２２２ｔの厚み、すなわち金属板の厚みと同じであることが好ましいが、端面２２２ｔの厚みより短くしてもよく、長くしてもよい。
【００５３】
例えば、突出部２４の幅Ｗを端面２２２ｔの厚みより長くする場合、電源ボックス２０を組み立てる際に、端面２２２ｔからはみ出した突出部２４を側面２２２に沿って折り曲げる。これにより、突出部２４のはみ出した部位に側面２２２が引っかかることで、側面２２２が衝撃等で外側へ開放されることを防止できる。
【００５４】
また、図４では、突出部２４は、側面２２１の両端に設けられることとしたが、突出部２４の配置はこれに限定されるものではない。次に、突出部２４の配置の他の例について、図５および図６を用いて説明する。
【００５５】
（変形例）
図５および図６は、実施形態に係る電源ボックス２０の変形例（その１およびその２）を示す展開図である。図５に示すように、４つの突出部２４１，２４２，２４３，２４４は、回転中心まわりに９０°ずつ回転して配置される。例えば、図５に示すように、突出部２４１，２４２，２４３，２４４は、各側面２２２ａ，２２１ａ，２２２ｂ，２２１ｂの一端にそれぞれ設けられる。
【００５６】
これにより、突出部２４１は、側面２２１ｂの端面２２１ｂｔを覆い、突出部２４２は、側面２２２ａの側面２２２ａｔを覆い、突出部２４３は、側面２２１ａの端面２２１ａｔを覆い、突出部２４４は、側面２２２ｂの端面２２２ｂｔを覆う。
【００５７】
このように、変形例（その１）の電源ボックス２０では、いわゆる風車状に突出部２４を設けることで、電源ボックス２０の隣り合う側面間４つすべてにおいて、側面２２１，２２２のいずれかの端面が他方の板面で覆うようにすることができる。
【００５８】
また、図５に示す変形例（その１）の電源ボックス２０を組み立てる場合、まず、４つの側面２２１ａ，２２１ｂ，２２２ａ，２２２ｂのうち、任意の１つの側面（例えば側面２２１ａ）を折り曲げる。
【００５９】
つづいて、折り曲げた側面２２１ａの突出部２４とは反対側の位置にある隣り合う側面２２２ｂを折り曲げた後、側面２２１ｂ、側面２２２ａの順に折り曲げることで、変形例（その１）にかかる電源ボックス２０が完成する。
【００６０】
また、図５では、固定孔２５の形状を長孔形状で示している。具体的には、固定孔２５は、背面２１の方向（Ｘ軸方向）へ長手方向となるような長孔形状を有する。これにより、本体部４０へ電源ボックス２０を固定する際に、側面２２１の板面２２１ｓと側面２２２の端面２２２ｔをぴったり接するように調整しながら固定することができる。
【００６１】
また、例えば、図６に示すように、突出部２４１，２４２，２４３，２４４は、対向する側面２２１ａ，２２１ｂそれぞれの一端と、他の対向する側面２２２ａ，２２２ｂのうちいずれか一つの側面２２２ｂの両端に設けられてもよい。
【００６２】
これにより、突出部２４１は、側面２２２ａの端面２２２ａｔ１を覆い、突出部２４２は、側面２２２ａの側面２２２ａｔ２を覆い、突出部２４３は、側面２２１ａの端面２２１ａｔを覆い、突出部２４４は、側面２２１ｂの端面２２１ｂｔを覆う。
【００６３】
つまり、変形例（その２）の電源ボックス２０でも、電源ボックス２０の隣り合う側面間４つすべてにおいて、側面２２１，２２２のいずれかの端面が他方の板面で覆うようにすることができる。
【００６４】
また、変形例（その２）の電源ボックス２０を組み立てる場合、まず、４つの側面２２１ａ，２２１ｂ，２２２ａ，２２２ｂのうち、突出部２４が設けられていない側面２２２ａを折り曲げる。
【００６５】
つづいて、折り曲げた側面２２２ａと隣り合う２つの側面２２１ａ，２２１ｂを折り曲げた後、突出部２４が両端に設けられた側面２２２ｂを折り曲げることで、変形例（その２）にかかる電源ボックス２０が完成する。
【００６６】
なお、上述した実施形態および変形例では、側面２２における端面２２２ｔを板面２２１ｓで覆う場合を説明したが、隣り合う側面２２間に他の部材を配置することとしてもよい。たとえば、端面２２２ｔと板面２２１ｓとが重なる部分に樹脂等の埋め込み部材を埋め込んでもよいし、側面２２が隣り合う部分にカバー等の別部材を被せてもよい。
【００６７】
なお、上述した実施形態では、照明装置１が、電源ボックス２０と、本体部４０とを１つずつ具備する場合を示したが、これに限られない。すなわち、照明装置１が１つの電源ボックス２０と複数の本体部４０とを具備することにしてもよく、複数の電源ボックス２０と、１つの本体部４０とを具備することにしてもよい。また、本体部４０に複数の発光部６０を並べて配置することとしてもよい。
【００６８】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００６９】
１    照明装置
１０    支持部
２０    電源ボックス
２１    背面
２２，２２１，２２２    側面
２２１ｓ    板面
２２２ｔ    端面
２３    脚部
２４    突出部
２５    固定孔
２６    固定部材
３０    端子台カバー
４０    本体部
５０    放熱部
５１    放熱フィン
６０    発光部
７０    透光性カバー
【図１】
2018055769.tif 000003
【図２】
2018055769.tif 000004
【図３】
2018055769.tif 000005
【図４】
2018055769.tif 000006
【図５】
2018055769.tif 000007
【図６】
2018055769.tif 000008